(57)【特許請求の範囲】
【請求項１】
高電圧で充電されるメインコンデンサを含むストロボ装置と、撮影機構とを内蔵したユニット本体に、放電ピンがそれぞれ差し込まれる２個の放電用開口が設けられ、各放電用開口から各放電ピンを差し込んで各放電ピンとメインコンデンサの各端子とをユニット本体の内部でそれぞれ接続することにより、メインコンデンサに充電された電荷を放電することができるようにしたストロボ内蔵型レンズ付きフイルムユニットにおいて、
前記２個の放電用開口は、略直方体を有した前記ユニット本体の複数の面のうちの異なる面に分けて設けられていることを特徴とするストロボ内蔵型レンズ付きフイルムユニット。
【請求項２】
前記２個の放電用開口のうちの一方の放電用開口は、メインコンデンサの一方の端子と対向するユニット本体の上面の位置に設けられ、他方の放電用開口は、ストロボ装置の部品が装着されたプリント基板上で前記メインコンデンサの他方の端子と接続された導電領域と対向するユニット本体の前面に設けられており、メインコンデンサの前記一方の端子が前記一方の放電用開口から差し込まれる放電ピンと直接に接続され、前記他方の端子が前記他方の放電用開口から差し込まれる放電ピンと前記導電領域を介して接続されるようにしたことを特徴とする請求項１記載のストロボ内蔵型レンズ付きフイルムユニット。
【発明の詳細な説明】
【０００１】
【発明の属する技術分野】
本発明は、ストロボ装置を内蔵したストロボ内蔵型レンズ付きフイルムユニットに関するものである。
【０００２】
【従来の技術】
いつでも手軽に写真撮影ができるように、簡単な撮影機構を組み込んだユニット本体にパトローネから引き出した未露光の写真フイルムを予め内蔵させたレンズ付きフイルムユニットが本出願人より、製造販売され、広く利用されている。また、このようなレンズ付きフイルムユニットでは、暗い場所においても撮影ができるように、ストロボ装置を内蔵したストロボ内蔵型レンズ付きフイルムユニット（以下、ストロボ付きフイルムユニットという）がある。
【０００３】
ストロボ付きフイルムユニットの製造では、パトローネ室やフイルム収納室等が形成された本体基部に、撮影機構，ストロボ装置，ストロボ装置の電池等を組み付け、この本体基部の前面に前カバーを装着する。この後に、シャッタ作動やストロボ発光の検査を行い、この検査に合格したものをフイルム装填工程に送る。フイルム装填工程は、暗室内で行われ、本体基部の背面側からパトローネとこのパトローネから引き出した未露光の写真フイルムとをパトローネ室，フイルム収納室にそれぞれ装填する。そして、このパトローネと写真フイルムとが装填された本体基部の背面に後カバーを装着して、ユニット本体が完成する。完成したユニット本体は、紙箱等の外ケースで外装される。この外ケースには、撮影レンズ，シャッタボタン，ファインダ等を露呈する開口が設けられており、ストロボ付きフイルムユニットは、この外ケースにユニット本体を入れたままで撮影ができるようになっている。
【０００４】
ところで、ストロボ付きフイルムユニットには、ストロボ発光後に自動的にメインコンデンサに再充電を行うものが知られている。このようなストロボ付きフイルムユニットでは、ストロボ発光の検査後には、メインコンデンサが自動的に充電されることになる。したがって、このままの状態で、次のフイルム装填工程に送ると、フイルム装填工程中に、何らかの理由でシンクロスイッチがＯＮとなってしまうとストロボ装置が誤発光してしまい、装填工程中の写真フイルムにカブリが生じる。写真フイルムにカブリが生じると、このストロボ付きフイルムユニットが不良品となるばかりでなく、これが出荷・販売されてしまった場合には、購入者に多大な迷惑を与えてしまう。また、メインコンデンサの充電が完了した時に、ネオン管等の充電完了表示ランプが点灯するようにしたものでは、ストロボ装置が誤発光しなくても、この充電完了表示ランプの光によって装填工程中の写真フイルムにカブリが生じてしまう。
【０００５】
このため、図４に示すように、ユニット本体の前カバー５１に放電用開口５１ａ，５１ｂを並べて形成し、この放電用開口５１ａ，５１ｂのそれぞれに放電ピン５２ａ，５２ｂを差し込んでメインコンデンサの両端子に接続し、メインコンデンサに充電された全ての電荷を放電用の抵抗を介して放電させてから、写真フイルムの装填工程に送るようにしている。これにより、写真フイルムの装填中におけるストロボの誤発光を防止している。そして、ユニット本体の完成後には、前カバー５１の放電用開口５１ａ，５１ｂは、ユニット本体を覆う外ケースで隠され、ユーザの目につかないようにされている。
【０００６】
【発明が解決しようとする課題】
しかしながら、撮影終了後に自ら外ケースを破って、ユニット本体から撮影済の写真フイルムを収納したパトローネを取り出すユーザもいる。この時に、外ケースを全て取り外してしまうと、放電用開口５１ａ，５１ｂが露呈されてしまい、間違ってユーザが放電用開口５１ａ，５１ｂに金属クリップ等の金属を同時に差し込んだ場合には、充電されたメインコンデンサの高電圧、例えば３００Ｖの電圧によって、ユーザが感電，火傷を被るといった事故が発生し、大変に危険である。
【０００７】
本発明は上記問題を解決するためになされたものであり、放電用開口からの金属の差し込みによるメインコンデンサの高電圧によるユーザの感電事故を防止できるようにしたストロボ内蔵型レンズ付きフイルムユニットを提供することを目的とする。
【０００８】
【課題を解決するための手段】
上記目的を達成するために、請求項１記載の発明では、各放電ピンを差し込んで各放電ピンとメインコンデンサの各端子とをユニット本体の内部でそれぞれ接続することにより、メインコンデンサに充電された電荷を放電するための２個の放電用開口は、略直方体を有した前記ユニット本体の複数の面のうちの異なる面に分けて設けるようにしたものである。
【０００９】
請求項２記載の発明では、２個の放電用開口のうちの一方の放電用開口は、メインコンデンサの一方の端子と対向するユニット本体の上面の位置に設けられ、他方の放電用開口は、ストロボ装置の部品が装着されたプリント基板上で前記メインコンデンサの他方の端子と接続された導電領域と対向するユニット本体の前面に設けられており、メインコンデンサの前記一方の端子が前記一方の放電用開口から差し込まれる放電ピンと直接に接続され、前記他方の端子が前記他方の放電用開口から差し込まれる放電ピンと前記導電領域を介して接続されるようにしたものである。
【００１０】
【発明の実施の形態】
本発明を実施したストロボ内蔵型のレンズ付きフイルムユニット（以下ストロボ付きフイルムユニットという）の外観を示す図２において、ストロボ付きフイルムユニットは、撮影機構を備えた略直方体のユニット本体１０と、これを収納する外ケース１１とから構成されている。外ケース１１には、撮影レンズ１２，ファインダ１３，巻上げノブ１４，シャッタボタン１５，ストロボ発光部１６等を露呈するための開口が設けられており、ユニット本体１０を外ケース１１に入れたままで撮影操作を行うことができるようになっている。
【００１１】
ユニット本体１１の前面右側には、ストロボ発光部１６が配置され、その下側には、操作ボタン１７が設けられている。この操作ボタン１７を押圧することにより、ストロボ装置２３の昇圧回路が作動してメインコンデンサ３０への充電が行われる（図３参照）。このストロボ付きフイルムユニットでは、操作ボタン１７を操作して、メインコンデンサ３０の充電を開始すれば、その直後に操作ボタン１７の押圧を解除しても、メインコンデンサ３０が規定充電電圧に達するまで、昇圧回路の作動が維持されるとともに、ストロボ発光を行う毎に昇圧回路が作動を開始するようになっている。したがって、撮影毎に操作ボタン１７を操作する必要はなく、メインコンデンサ３０の充電電圧が低下している時にのみ、操作ボタン１７を押圧する。ユニット本体１０の上面には、シャッタボタン１５、撮影可能なコマ数を確認するための窓１８、ストロボ発光の準備が完了したこと確認するための表示窓１９が設けられている。
【００１２】
図３に示すように、ユニット本体１０は、パトローネ２０ａ及びこのパトローネ２０ａから引き出された写真フイルム２０ｂとが装填される本体基部２１と、この本体基部２１の前面に装着される露光ユニット２２及びストロボ装置２３と、本体基部２１の前面に装着され露光ユニット２２及びストロボ装置２３を覆う前カバー２４と、本体基部２１の背面側に装着され、本体基部２１との間で写真フイルム２０ｂを光密に収納する後カバー２５とからなる。露光ユニット２２は、撮影可能なコマ数を表示するカウンタ機構，シャッタ機構，写真フイルムを１コマずつ送るための１コマ送り機構，撮影レンズ１２，及びファインダ１３等から構成されている。
【００１３】
本体基部２１には、パトローネ２０ａが装填されるパトローネ室２１ａと、パトローネ２０ａから引き出され、ロール状にされた未露光の写真フイルム２０ｂを収納するフイルム収納室２１ｂとが設けられている。これらの底面は、開口となっており、後カバー２５に形成された底蓋２５ａ，２５ｂによって塞がれる。パトローネ室２１ａの底蓋２５ａは、爪係合により開閉自在にされており、写真フイルム２０ｂの全コマの撮影終了後には、撮影済の写真フイルム２０ｂが巻き込まれたパトローネ２０ａを取り出すための取り出し蓋となる。
【００１４】
ストロボ装置２３は、プリント基板２６上に装着された、ストロボ放電管を含むストロボ発光部１６，昇圧回路，シンクロスイッチ２７，電池２８，電池２８用の電極板２９，メインコンデンサ３０、ストロボ充電スイッチ３１等から構成されている。ストロボ充電スイッチ３１は、金属片３１ａとプリント基板２６の表面に露呈された１対の導電領域（ランド）３１ｂとからなり、操作ボタン１７の押圧操作により金属片３１ａが押圧されて一対の導通領域３１ｂと接触することによりＯＮとなる。ストロボ充電スイッチ３１がＯＮとなると、電池２８を電源として昇圧回路が作動し、電池２８の低電圧が高電圧、例えば３００Ｖ程度に昇圧され、この高電圧でメインコンデンサ３０が充電される。
【００１５】
このストロボ装置２３は、例えばメインコンデンサ３０の電荷がストロボ放電管内で放電された時に電流が瞬間的に流れることによって発生するパルス電圧により、昇圧回路が再作動されようにされており、ストロボ発光を行う毎に、メインコンデンサ３０が再充電されるようになっている。なお、後述する放電用抵抗４５でメインコンデンサ３０を放電させた場合には、放電時間が長いのでパルス電圧が低くなり、昇圧回路は再作動されない。
【００１６】
また、ストロボ装置２３には、ネオン管３４が設けられており、メインコンデンサ３０が規定充電電圧（例えば３００Ｖ）まで充電されると、ネオン管３４が点灯して、ストロボ発光が準備が出来たことを表示する。このネオン管３４は、表示窓１９を臨む位置に配されており、撮影者は、この表示窓１９からネオン管３４の点灯の有無を確認することができる。メインコンデンサ３０に充電された電荷は、シャッタの作動に同期してシンクロスイッチ２７がＯＮとなることにより、ストロボ放電管内で放電される。これにより、ストロボ放電管が発光して、ストロボ発光部１６よりストロボ光が照射される。
【００１７】
図１に示すように、プリント基板２６の上部には、ストロボ発光部１６が配され、その背後にメインコンデンサ３０が配されている。また、メインコンデンサ３０の一方の端子（図１ではプラス側の端子）３０ａには、プリント基板２６の表面に形成されたレジスト未塗布の導電領域からなる放電用端子４０が接続されている。そして、前カバー２４を本体基部２１に装着した状態では、前カバー２４の前面２４ａの背後にプリント基板２６が、そして上面２４ｂの直下には、メインコンデンサ３０の他方の端子（図１ではマイナス側の端子）３０ｂが配された状態となる。
【００１８】
前カバー２４の前面２４ａで、放電用端子４０に対向する位置には、放電用開口４１が形成され、メインコンデンサ３０の端子３０ｂに対向する上面２４ｂの位置には、放電用開口４２が形成されている。これらの放電用開口４１，４２には、フイルム装填工程の前に、放電ユニットの１対の放電ピン４３，４４が差し込まれる。この放電ユニットは、放電ピン４３，４４が放電用抵抗４５を介して接続されたものであり、一方の放電ピン４３は、放電用端子４０に接触して接続するために、その先端がハリ状になっており、他方の放電ピン４４は、メインコンデンサ３０の端子３０ｂと直接に接触させて接続するために、その先端が逆Ｕ字形状になっている
【００１９】
放電ピン４３は、前カバー２４の前面２４ａ側から放電用開口４１を介して、前カバー２４の内側に挿入され、放電用端子４０と接触することにより、メインコンデンサ３０の一方の端子３０ａと電気的に接続される。また、放電ピン４４は、前カバー２４の上面２４ｂ側から放電用開口４２を介して、前カバー２４の内側に挿入され、メインコンデンサ３０の他方の端子３０ｂと直接に接触して電気的に接続される。これにより、メインコンデンサ３０に充電された電荷は、放電ピン４３，４４を介して放電用抵抗４５で放電される。
【００２０】
このように、メインコンデンサ３０を放電するための放電用開口４１，４２を略直方体のユニット本体１０を構成する外面のうちの異なる面に別々に配置することにより、外ケース１１をユニット本体１０から取り去った時に、ユーザがこれらの放電用開口４１，４２に、同時に金属片等を挿入し難くしている。もちろん、この放電開口４１，４２の周囲に、金属片等を入れると感電する危険があること表示しておくのが良いのはいうまでもない。
【００２１】
次に、上記のように構成されたストロボ付きフイルムユニットの作用について説明する。ユニット本体１０の組み立ては、後カバー２５の装着とパトローネ２０ａ及び写真フイルム２０ｂの装填以外は明室内にて行われる。本体基部１０は、前面側を上向きもしくは下向きにした状態で搬送され、この間に巻上げノブ１４，露光ユニット２２ほかストロボ装置２３等が組み付けられる。
【００２２】
巻上げノブ１４の組み付け後に、カウンタ機構，シャッタ機構，１コマ送り機構，撮影レンズ１２，及びファインダ１３等が組み付けられた露光ユニット２２を本体基部２１の前面より組み付ける。次に、昇圧回路，ストロボ発光部１６，シンクロスイッチ２７，電池２８用の電極板２９，メインコンデンサ３０等が装着されたストロボ装置２３が本体基部２１の前面に装着される。さらに、ストロボ充電スイッチ３１の金属片３１ａを所定の位置に配してから、これらを覆うように本体基部２１の前面側に前カバー４を組み付ける。そして、電池２８が、この本体基部２１の底面側より、電極板２９の間に装填される。なお、電池２８の装填は、前カバー２４の装着前に行ってもよい。
【００２３】
前カバー４が組み付けられた後に、本体基部２１は、シャッタ機構及びストロボ装置２３の検査工程に送られ、シャッタの作動，ネオン管３４の点灯，ストロボ発光等の検査を行う。ストロボ発光の検査では、前カバー２４の操作ボタン１７を押圧して昇圧回路を作動し、メインコンデンサ３０への充電を行う。そして、ネオン管３４の点灯が確認されて、メインコンデンサ３０が規定充電電圧に達したと判断されると、シャッタを作動させて、ストロボ装置２３の発光を行う。そして、ストロボ発光の有無と、ストロボ発光とシャッタの作動とが同期しているか否かが判断される。
【００２４】
このストロボ発光の検査に合格した本体基部２１は、次のフイルム装填工程に送られることになるが、この検査でストロボ発光を行った際に、メインコンデンサ３０が瞬間的に放電して、この時に発生したパルス電圧で、昇圧回路が再作動し、再びメインコンデンサ３０が充電された状態となる。このため、このストロボ発光の検査の終了後（フイルム装填工程に送る前）に、放電ユニットを用いて、メインコンデンサ３０の放電を行う。
【００２５】
このメインコンデンサ３０の放電では、図１に示されるように、前カバー２４の前面２４ａ側から放電開口４１を介して放電ピン４３が前カバー２４の内側に挿入され、この放電ピン４３と放電用端子４０とが接触されるとともに、上面２４ｂ側から放電開口４２を介して放電ピン４４が前カバー２４の内側に挿入され、この放電ピン４４とメインコンデンサ３０の端子３０ｂと接触される。これにより、メインコンデンサ３０の両端子３０ａ，３０ｂに放電用抵抗４５が接続された状態となり、メインコンデンサ３０に充電された全ての電荷が放電用抵抗４５を介して放電され、メインコンデンサ３０は、無充電状態となる。メインコンデンサ３０の電荷を全て放電するのに必要な所定の時間が経過後、放電ピン４３，４４が抜き取られる。なお、この放電用抵抗４５による放電では、パルス電圧が低いので昇圧回路が再作動されることはなく、放電ピン４３，４４の抜き取り後にも、メインコンデンサ３０の無充電状態が維持される。
【００２６】
一方、検査に不合格のものについては、合格したものと同様にしてメインコンデンサ３０の放電をおこなってから、不合格用のラインに向けて仕分けするのがよい。このようにすれば、不合格の本体基部２１を分解する際に、メインコンデンサ３０に充電された電荷による感電事故を防止できる。
【００２７】
ストロボ発光検査に合格し、放電ユニットでメインコンデンサ３０が無充電状態とされた本体基部２１は、暗室内のフイルム装填工程へ搬送される。このフイルム装填工程では、パトローネ２０ａを底面からパトローネ室２１ａに装填する。この後に、パトローネ２０ａから引き出されてロール状にされた写真フイルム２０ｂを本体基部２１のフイルム収納室２１ｂに収納し、本体基部２１の背面側に後カバー２５を組み付け、底蓋２５ａ，２５ｂを折り曲げてパトローネ室２１ａ，フイルム室２１ｂの底面をそれぞれ閉じる。このようにして、本体基部２１内は遮光され、ユニット本体１０が完成する。
【００２８】
ところで、このフイルム装填中にストロボ発光部１６が発光したり、ネオン管３４が点灯していたりすると、装填中の写真フイルム２０ｂがストロボ光、あるいはネオン管３４の光に感光して、カブリが発生してしまうが、上述したようにフイルム装填工程に入る前に、メインコンデンサ３０に充電された全ての電荷を放電ユニットで放電してあるから、このフイルム装填中にストロボ発光部１６が発光したり、ネオン管３４が点灯したりすることはない。したがって、装填中の写真フイルム２０ｂにカブリが発生することはない。
【００２９】
完成したユニット本体１０は、明室に搬送されて各種機能検査を経た後に、外ケース１１が装着されて、ストロボ付きフイルムユニットが完成する。図２に示すように、放電用開口４１，４２は、外ケース１１で覆われて外部に露呈されないようにされる。これにより、ユニット本体１０内へ放電開口４１，４２から異物の混入を防止するとともに、ストロボ付きフイルムユニットの使用中に、ユーザが放電用開口４１，４２に金属片等を入れることができないようにされ感電事故が防止されるようになる。
【００３０】
また、メインコンデンサ３０が充電された状態で、例えばユーザがパトローネ２０ｂをユニット本体１０から取り出すために、外ケース１１を取り外して、放電用開口４１，４２を露呈した状態にしても、放電用開口４１，４２をユニット本体１０の異なる面に別々に配置してあるから、ユーザがこれらの放電用開口４１，４２に同時に金属片等を挿入し難いので、メインコンデンサ３０の高電圧によるユーザの感電を防止できる。なお、放電用開口４１，４２のいずれか一方に、金属片等を入れても、感電することがないのはいうまでもない。
【００３１】
また、リサイクルのために、ストロボ付きフイルムユニットを回収して、ストロボ付きフイルムユニットを分解する際にも、放電用開口４１，４２に、放電ピン４３，４４を挿入して、メインコンデンサ３０を放電させてから、分解作業を行うようにすれば、分解作業中における感電事故を防ぐこともできる。
【００３２】
上記説明では、ストロボ発光毎に再充電が行われるようにしたストロボ装置について説明しているが、本発明は、これに限られず、ストロボ撮影を行う毎に操作ボタンを押圧するものにも利用することができ、また、メインコンデンサを充電する時には、メインコンデンサが規定充電電圧に達するまで操作ボタンを押圧してストロボ充電スイッチをＯＮ状態を維持しておくものや、ストロボ撮影毎に１度操作ボタンを押圧してストロボ充電スイッチを１回ＯＮとすれば、その直後にストロボ充電スイッチをＯＦＦとしてもメインコンデンサが規定充電電圧まで充電されるようにしたストロボ装置であってもよい。
【００３３】
また、放電用開口の位置は、前カバーの上面と前面との組み合わせに限らず、プリント基板の位置、メインコンデンサの位置、ユニット本体の組立および写真フイルムの装填順序等に応じて適宜に変更してよい。さらに、搬送中の振動等で、ストロボ充電スイッチがＯＮとなることも考えられるので、放電ピンを挿入した状態でフイルム装填工程に送るようにしてもよい。また、放電ユニットは、本体基部をフイルム装填工程に搬送する搬送パレットに設けてもよい。
【００３４】
【発明の効果】
以上に述べたように、本発明のストロボ内蔵型レンズ付きフイルムユニットによれば、メインコンデンサを放電させるために、放電ピンを挿入するための２個の放電用開口を略直方体のユニット本体の複数の面のうちの異なる面に分けて設けたから、ユーザが２個の放電用開口に金属片等を同時に挿入し難いので、充電されたメインコンデンサの高電圧によるユーザの感電事故を防止することができる。
【図面の簡単な説明】
【図１】ストロボ装置と放電用開口の位置関係を示す説明図である。
【図２】本発明を実施したストロボ内蔵型レンズ付きフイルムユニットの外観を示す斜視図である。
【図３】ストロボ内蔵型レンズ付きフイルムユニットのユニット本体を示す分解斜視図である。
【図４】従来の放電用開口の位置を示す斜視図である。
【符号の説明】
１０  ユニット本体
１６  ストロボ発光部
２３  ストロボ装置
２４  前カバー
２６  プリント基板
３０  メインコンデンサ
４１，４２  放電用開口
４３，４４  放電ピン
４５  放電用抵抗
【図１】
0003625317.tif 000002
【図２】
0003625317.tif 000003
【図３】
0003625317.tif 000004
【図４】
0003625317.tif 000005